(57)【特許請求の範囲】
【請求項１】
流体管に穿設された貫通孔と同軸をなすとともに、往復移動手段により進退させられる弁棒の先端部に、先端に拡径部を有する棒状の心金と、この心金の周囲に相対摺動可能として外嵌された弾性変形可能なシール部材とからなる弁体を、シール部材の後端面を弁棒により押圧可能として設け、前記シール部材を流体管内において拡径方向に弾性変形させて、流体管の内周面に圧接することにより、流体の流れを遮断するようにした仕切弁装置において、
前記シール部材は、前記心金における拡径部を除く外周面に外嵌された第１シール部材と、該第１シール部材とは別体であって前記拡径部の下方における前記第１シール部材に形成された取付孔に嵌合された第２シール部材と、からなり、
前記心金を前記弁棒に対し抜け止めされて着脱可能に遊嵌するとともに、前記拡径部における貫通孔への挿入方向と反対側の後端面を、弁体の中心かつ先端方向に向かって傾斜するテーパ面としたことを特徴とする仕切弁装置。
【発明の詳細な説明】
【０００１】
【発明の属する技術分野】
本発明は、水道管等の流体管の管路を開閉する仕切弁装置に係り、特に、管路内に向って進退移動する弁体の形状を改変した仕切弁装置に関する。
【０００２】
【従来の技術】
この種の仕切弁装置としては、例えば、特開平８−１０９９９７号公報に開示されているものがある。この仕切弁装置には、流体管に穿設した貫通孔より管路内に向って進退移動可能な弁体が設けられ、弁体の外周部の弾性変形可能なシール部材を、管路内において膨張させて内周面に圧接することにより、流体の流れを遮断するようになっている。
【０００３】
図４は、上記従来の仕切弁装置に設けられている弁体の要部を示している。図示の如く、弁体ａは、下端に拡径部ｂを有する丸棒状の心金ｃと、その周囲を囲繞するゴム等の弾性変形可能な円柱状のシール部材ｄとからなっており、弁体ａは、昇降手段により、流体管ｅの上面に穿設した貫通孔ｆより管路内に向かって進退させることができる。
【０００４】
図４（Ａ）の状態から昇降手段により弁体ａを強く押圧すると、（Ｂ）に示すように、シール部材ｄが弾性変形させられて膨張することにより、流体管ｅの内周面に圧接し、流体の流れが遮断される。
【０００５】
【発明が解決しようとする課題】
上述した従来の仕切弁装置の弁体ａでは、心金ｃの拡径部ｂの上面が、外周端に向かって、下向きのテーパ面となっているため、図４（Ｂ）の状態から弁体ａを引き上げようとした際、拡径部ｂの上面と接触しているシール部材ｄが、図示矢印のように離心方向にずれ易く、流体管ｅの貫通孔ｆにシール部材ｄが引っ掛かって抜けにくくなったり、無理に強い力で引き上げるとシール部材ｄが損傷したりする。
【０００６】
特に、長期間（Ｂ）の状態に保存されると、シール部材ｄの弾性復元力の低下により、（Ａ）の形状に戻りにくくなるため、大きな引き抜く力を要する。
【０００７】
本発明は、上記問題点を解決するためになされたもので、心金の拡径部上面に接触しているシール部材が離心方向にずれるのを防止することにより、弁体を容易に引き抜くことができるようにした仕切弁装置を提供することを目的としている。
【０００８】
【課題を解決するための手段】
上記目的を達成するために、本発明の仕切弁装置は、流体管に穿設された貫通孔と同軸をなすとともに、往復移動手段により進退させられる弁棒の先端部に、先端に拡径部を有する棒状の心金と、この心金の周囲に相対摺動可能として外嵌された弾性変形可能なシール部材とからなる弁体を、シール部材の後端面を弁棒により押圧可能として設け、前記シール部材を流体管内において拡径方向に弾性変形させて、流体管の内周面に圧接することにより、流体の流れを遮断するようにした仕切弁装置において、
前記シール部材は、前記心金における拡径部を除く外周面に外嵌された第１シール部材と、該第１シール部材とは別体であって前記拡径部の下方における前記第１シール部材に形成された取付孔に嵌合された第２シール部材と、からなり、
前記心金を前記弁棒に対し抜け止めされて着脱可能に遊嵌するとともに、前記拡径部における貫通孔への挿入方向と反対側の後端面を、弁体の中心かつ先端方向に向かって傾斜するテーパ面としたことを特徴としている。
上記構成の本発明によると、心金の拡径部の後端面を弁体の中心かつ先端方向に向って傾斜するテーパ面としたことにより、拡径部のシール部材に対する引っ掛かり効果が大となり、弁体を流体管内に引き向く際に、心金の引張力がシール部材に有効に働くようになる。また、シール部材を、第１シール部材と第２シール部材の別体としたのは、これらが劣化した際等の交換及び心金の弁棒への取付けを容易とするためであり、第２シール部材を取外してから、心金を脱着することにより、第１シール部材と第２シール部材を容易に交換することができる。
【０００９】
【発明の実施の形態】
以下、本発明の実施例を図面に基づいて説明する。
【００１０】
図１において、１は水道管等の流体管で、その外周面には、上下1対よりなる半割継手２が、流体管１の上面に穿設された貫通孔３の開口部に介在したパッキン４により、水密性を保持して装着されている。
【００１１】
半割継手２の上部の接続筒部２ａには、本発明の仕切弁装置における案内管５の下端部が、パッキン６を介して貫通孔３と同心的に螺着されている。案内管５の左側壁に形成された開口部５ａには、第２の仕切弁装置７が、案内管５と直交させて取付けられている。
【００１２】
この第２の仕切弁装置７は、ねじ杆８と、これに螺合してねじ送りされる弁体９とを備え、不断水工法等において穿孔機を着脱したり、分岐管を取り付けたりする際に、弁体９を案内管５内に挿入し、流体管１よりの流体を一時的に遮断するときに用いられる。
【００１３】
案内管５の上端のフランジ部５ｂにボルト止めされた円筒状の支持ケース１０の上端部には、弁体の昇降機構１１が取付けられている。昇降機構１１は、支持ケース１０の上端部に嵌合して固着されたガイド筒１２と、これに上下に櫂動可能かつ相対回転不能として内嵌された円筒状の弁棒１３と、弁棒１３の内面の雌ねじに螺合されたねじ杆１４とからなり、ねじ杆１４の上端部は、ガイド筒１２により回転可能に保持されている。
【００１４】
１５は、支持ケース１０の上端を覆うようにして螺着されたねじキャップで、ねじ杆１４の上端部の角軸部１４ａは、ねじキャップ１５を貫通して上方に突出している。
【００１５】
弁棒１３の下端部内には、丸棒状の心金１６の上端部の拡径雄ねじ部１６ａが、これを弁棒１３の下端部の雌ねじ孔１３ａに螺挿して上方に突出させることにより、抜け止めされて着脱可能に遊嵌されている。
【００１６】
心金１６の下端（先端）には、下面が球面状をなす拡径部１７が連設され、その上面（後端面）は、図２に拡大して示すように、弁体の先端方向、すなわち軸心方向に向って下向きに傾斜するテーパ面１７ａとしてある。テーパ面１７ａの水平面に対する傾斜角度は、５゜前後が好ましく、従って、心金１６の下端部と拡径部１７の上面とのなす角度は、従来とは異なり鋭角となっている。
【００１７】
弁棒１３における押圧フランジ部１８の下方と、心金１６における拡径部１７の下面を除く外周面には、貫通孔３より若干小径の弾性ゴム等よりなる円柱状の第１シール部材としてのシール部材１９が、相対摺動可能として外嵌されている。
【００１８】
拡径部１７の下方のシール部材１９に形成された取付孔１９ａには、下面が球面状をなす第２シール部材としてのシール部材２０が、接着等により嵌合されている。上記心金１６と拡径部１７、シール部材１９、２０により弁体２１を構成している。
【００１９】
シール部材２０をシール部材１９と別体としたのは、これらが劣化した際等の交換及び心金１６の弁棒１３への取付けを容易とするためであり、シール部材２０を切除するなどして取外してから、心金１６をねじ回して脱着することにより、シール部材１９、２０を容易に交換することができる。
【００２０】
流体管１内の流体の流れを遮断するには、次のようにして行う。
【００２１】
図１に示す状態において、ねじ杆１４の上端の角軸部１４ａを回動工具等により回転させる。すると、ねじ杆１４に螺合している弁棒１３が、ねじ送り作用によりガイド筒１２に案内されながら下降し、弁棒１３の下端に取付けた弁体２１が流体管１の貫通孔３内に挿入される。
【００２２】
シール部材１９、２０の下面が流体管１の内底面に当接してから、ねじ杆１４をさらに強く回動させると、シール部材１９が弁棒１３の押圧フランジ部１８により強圧されることにより、図３に示すように、流体管１内のシール部材１９は拡径方向に弾性変形させられて膨張し、内周面及び貫通孔３の開口部に圧接する。
【００２３】
これにより、流体管１内の流体の流れが遮断される。
【００２４】
ねじ杆１４を逆回転させて弁棒１３を上昇させると、シール部材１９は弾性復元力により元の形状となり、流体管１内より引き抜くことができる。
【００２５】
この際、心金１６の拡径部１７の上面の軸心方向に傾斜するテーパ面１７ａの作用により、拡径部１７のシール部材１９に対する引っ掛かり効果が大となり、従来のようにシール部材１９が離心方向にずれることなく、心金１６の引き上げ力がシール部材１９に有効に働く。従って、万一長期間の使用により、シール部材１９の弾性復元力が低下しても、弁体２１を容易に引き抜くことができる。
【００２６】
以上、本発明の実施形態を図面により説明してきたが、具体的な構成はこれら実施例に限られるものではなく、本発明の要旨を逸脱しない範囲における変更や追加があっても本発明に含まれる。
【００２７】
【発明の効果】
本発明によれば、拡径部に接触しているシール部材が離心方向にずれることなく、心金の引張力がシール部材に有効に働くようになる。
【００２８】
従って、長期間の使用により、シール部材の弾性復元力が低下しても、弁体を容易に引き抜くことができ、かつシール部材の損傷する恐れも小さい。
【００２９】
【図面の簡単な説明】
【図１】本発明の一実施例を示す中央縦断正面である。
【図２】同じく、弁体の要部の拡大縦断面図である。
【図３】同じく、流体管への挿入時における流体の遮断状態を示す弁体の拡大縦断面図である。
【図４】従来の仕切弁装置の弁体における流体の遮断の前後の状態を示す縦断面図である。
【符号の説明】
１          流体管
２          半割継手
３          貫通孔
４、６      パッキン
５          案内管
５ａ        開口部
７          第２の仕切弁装置
８          ねじ杆
９          弁体
１０          支持ケース
１１          昇降機構（往復移動手段）
１２          ガイド筒
１３          弁棒
１３ａ        雌ねじ孔
１４          ねじ杆
１４ａ        角軸部
１５          ねじキャップ
１６          心金
１６ａ        雄ねじ部
１７          拡径部
１７ａ        テーパ面
１８          押圧フランジ部
１９、２０    シール部材
１９ａ        取付孔
２１          弁体
【図１】
0003913312.tif 000002
【図２】
0003913312.tif 000003
【図３】
0003913312.tif 000004
【図４】
0003913312.tif 000005